(57)【要約】  薬液シリンジの破壊を良好に防止することができるシリンダアダプタを提供する。シリンダアダプタ４００のアダプタ本体４１０は、薬液シリンジのシリンダ本体が挿入され、挿入されたシリンダ本体を内周面で支持するとともに、シリンダフランジが端面に当接するように、円筒状に形成されている。フランジ保持部材４２０は、円環状に形成されており、アダプタ本体４１０に開閉自在に装着されて、アダプタ本体４１０との間でシリンダフランジを保持する。保持ロック機構４３０は、フランジ保持部材４２０を閉止状態にロックする。アダプタフランジ４１１は、アダプタ本体４１０の外周面に形成されて薬液注入装置に保持される。【特許請求の範囲】
【請求項１】
シリンダ本体の一端にシリンダフランジが形成されているシリンダ部材にピストン部材がスライド自在に挿入されている薬液シリンジと、前記薬液シリンジに着脱自在に装着されるシリンダアダプタと、前記シリンダアダプタを介して装着される前記薬液シリンジの前記シリンダ部材に対して前記ピストン部材をピストン駆動機構でスライドさせる薬液注入装置と、を有している薬液注入システムの前記シリンダアダプタであって、
前記シリンダ本体が挿入され、前記シリンダ本体を内周面で支持するとともに、前記シリンダフランジが端面に当接する円筒状のアダプタ本体と、
前記アダプタ本体に開閉自在に装着され、前記アダプタ本体との間で前記シリンダフランジを保持する円環状のフランジ保持部材と、
前記フランジ保持部材を閉止状態にロックする保持ロック機構と、
前記アダプタ本体の外周面に形成されて前記薬液注入装置に保持されるアダプタフランジと、
を有しているシリンダアダプタ。
【請求項２】
シリンダ本体の一端にシリンダフランジが形成されているシリンダ部材にピストン部材がスライド自在に挿入されている薬液シリンジと、前記薬液シリンジが着脱自在に装着されるシリンダアダプタと、前記シリンダアダプタを介して装着される前記薬液シリンジの前記シリンダ部材に対して前記ピストン部材をピストン駆動機構でスライドさせる薬液注入装置と、を有している薬液注入システムであって、
前記シリンダアダプタは、
前記シリンダ本体が挿入され、前記シリンダ本体を内周面で支持するとともに、前記シリンダフランジが端面に当接する円筒状のアダプタ本体と、
前記アダプタ本体に開閉自在に装着され、前記アダプタ本体との間で前記シリンダフランジを保持する円環状のフランジ保持部材と、
前記フランジ保持部材を閉止状態にロックする保持ロック機構と、
前記アダプタ本体の外周面に形成されて前記薬液注入装置に保持されるアダプタフランジと、
を有している薬液注入システム。
【請求項３】
シリンダ本体の一端にシリンダフランジが形成されているシリンダ部材にピストン部材がスライド自在に挿入されている、それぞれ直径が異なる複数の薬液シリンジと、最大以外の直径の前記薬液シリンジが着脱自在に装着されるシリンダアダプタと、直接装着される最大直径の前記薬液シリンジおよび前記シリンダアダプタを介して装着される最大以外の直径の前記薬液シリンジの前記シリンダ部材に対して前記ピストン部材をピストン駆動機構でスライドさせる薬液注入装置と、を有している薬液注入システムであって、
前記薬液注入装置は、最大直径の前記薬液シリンジのシリンダフランジを保持するシリンダ保持機構を有しており、
前記シリンダアダプタは、最大直径の前記薬液シリンジのシリンダ本体が挿入され、前記シリンダ本体を内周面で支持するとともに、前記シリンダフランジが端面に当接する円筒状のアダプタ本体と、前記アダプタ本体に開閉自在に装着され、前記アダプタ本体との間で前記シリンダフランジを保持する円環状のフランジ保持部材と、前記フランジ保持部材を閉止状態にロックする保持ロック機構と、前記アダプタ本体の外周面に形成されて前記薬液注入装置に保持され、少なくとも前記薬液注入装置に保持される部分が最大直径の前記薬液シリンジのシリンダフランジと同等な形状で形成されているアダプタフランジと、を有している薬液注入システム。
【請求項４】
前記薬液シリンジは、ピストンヘッドの後端にピストンフランジが直接形成されているロッドレスシリンジであり、
前記ロッドレスシリンジのピストンフランジと前記薬液注入装置のピストン駆動機構とを連結するピストンアダプタをさらに有している請求項２または３に記載の薬液注入システム。
【発明の詳細な説明】
【技術分野】
【０００１】
本発明は、薬液シリンジを薬液注入装置に装着させるためのシリンダアダプタに関し、特に、直径が異なる複数の薬液シリンジに対し、最大直径の薬液シリンジが直接装着される薬液注入装置に最大以外の直径の薬液シリンジを装着させるためのシリンダアダプタに関する。
【背景技術】
【０００２】
現在、被験者の透視画像を撮像する透視撮像装置としては、ＣＴ(Computed Tomography)スキャナ、ＭＲＩ(Magnetic Resonance Imaging)装置、ＰＥＴ(Positron
Emission Tomography)装置、超音波診断装置、アンギオ装置、ＭＲＡ(MR Angio)装置、等がある。【０００３】
上述のような装置を使用するとき、被験者に造影剤や生理食塩水などの薬液を注入することがあり、この注入を自動的に行う薬液注入装置も実用化されている。薬液注入装置は注入装置本体を有しており、注入装置本体に薬液シリンジが着脱自在に装着される。【０００４】
薬液シリンジは、円筒状のシリンダ部材を有しており、シリンダ部材にピストン部材がスライド自在に挿入されている。ピストン部材は、例えば、弾性体で形成されたピストンヘッドを有しており、このピストンヘッドがシリンダ部材にスライド自在に挿入されている。【０００５】
ピストンヘッドは、細長形状のピストンロッドの前端に装着されており、ピストンロッドの後端外周には円環状のピストンフランジが形成されている。シリンダ部材も後端外周に円環状のシリンダフランジが形成されており、ピストン部材で密閉されたシリンダ部材の内部に薬液が充填される。【０００６】
このような薬液シリンジは、ノーマルシリンジと呼ばれる。【０００７】
薬液シリンジには、ノーマルシリンジの他にロッドレスシリンジと呼ばれるものもある。ロッドレスシリンジでは、ピストン部材がピストンロッドを有しておらず、ピストンヘッドの後面に直接、小径のピストンフランジが形成されている。【０００８】
また、薬液シリンジには、薬液が予め充填されているか否かによって、プレフィルドタイプとリフィルタイプとにも分けられる。プレフィルドタイプでは、シリンダ部材に薬液が充填されて、全体が梱包材で密封された状態で出荷される。リフィルタイプでは、利用者により所望の薬液がシリンダ部材に充填される。【０００９】
薬液注入装置を使用する場合、例えば、薬液が充填されている薬液シリンジのシリンダ部材を延長チューブで被験者に連結し、その薬液シリンジを薬液注入装置の注入装置本体に装着する。一般的な薬液注入装置では、薬液シリンジのシリンダ部材およびシリンダフランジに対応した形状の凹部が注入装置本体の上面に形成されている。この凹部にシリンダ部材およびシリンダフランジを装填することによって、薬液シリンジが注入装置本体に保持される。【００１０】
さらに、薬液注入装置は、ピストン駆動機構によりピストンフランジをシリンダ部材とは別個に保持し、ピストン駆動機構でピストン部材をスライドさせる。これによって薬液シリンジから被験者に薬液を注入することができ、必要により薬液タンクから薬液シリンジ内に薬液を吸入することもできる。【００１１】
上述のような薬液注入装置は、一般的に、それぞれ直径が異なる複数種類の薬液シリンジを装着できるようにするため、注入装置本体の凹部は最大直径の薬液シリンジのシリンダ部材に対応している。最大以外の直径の薬液シリンジは、その直径に応じた専用のシリンダアダプタがシリンダ部材に装着されて注入装置本体の凹部に装填される。【００１２】
このようなシリンダアダプタも、注入装置本体と同様に、装着されるシリンダ部材とシリンダフランジとに対応した凹部が上面に形成されているのが一般的である。その凹部で薬液シリンジのシリンダ部材とシリンダフランジとが保持される。また、シリンダアダプタの下面は、最大直径の薬液シリンジのシリンダ部材およびシリンダフランジと同様な外形に形成されており、注入装置本体の凹部に装着される。【００１３】
上述のような薬液注入装置やシリンダアダプタは、本出願人などにより過去に発明されて出願され、例えば特開２００３−２２０１３６号公報、特開２００４−１８４２８０号公報、および特開２００５−０００２０３号公報などに開示されている。【００１４】
上述のようなシリンダアダプタを利用することにより、薬液注入装置に直径の異なる複数種の薬液シリンジを装着することが可能となる。しかし、一般的な薬液注入装置は、上述のように上面が開口した凹部に最大直径の薬液シリンジが上方から装着される構造となっているため、凹部に上方から装着されるシリンダアダプタも、やはり上面が開口した凹部に薬液シリンジが上方から装着される構造となっている。【００１５】
このため、シリンダアダプタは、上方から装着される薬液シリンジのシリンダフランジの下部および左右の側部は保持できるが、シリンダフランジの上部まで保持することはできない。つまり、シリンダフランジはシリンダ部材の全周方向に形成されているが、その全部をシリンダアダプタで保持することができない。【００１６】
造影剤などの薬液は高粘度であり、薬液の注入時には、薬液注入装置はピストン部材をシリンダ部材に高圧で押し込む。このため、上述のようにシリンダフランジの一部しか保持されていない状態で薬液注入装置がシリンダ部材にピストン部材を押し込むと、シリンダフランジが破壊したり、シリンダ部材が破裂したりすることがある。
【発明の開示】
【００１７】
本発明は上述のような課題に鑑みてなされたものであり、薬液注入装置の上面の凹部に上方から装着される構造でありながら、薬液シリンジのシリンダフランジの全部を保持することができるシリンダアダプタを提供することを目的とする。
【００１８】
本発明のシリンダアダプタは薬液注入システムの一部であり、その薬液注入システムは、薬液シリンジと、シリンダアダプタと、薬液注入装置と、を有している。薬液シリンジは、シリンダ本体の一端にシリンダフランジが形成されているシリンダ部材と、シリンダ部材にスライド自在に挿入されているピストン部材と、を有している。薬液注入装置は、シリンダアダプタを介して装着される薬液シリンジのシリンダ部材に対してピストン部材をスライドさせるピストン駆動機構を有している。
【００１９】
本発明のシリンダアダプタは、アダプタ本体と、フランジ保持部材と、保持ロック機構と、アダプタフランジと、を有している。アダプタ本体は、薬液シリンジのシリンダ本体が挿入され、シリンダ本体を内周面で支持するとともに、シリンダフランジが端面に当接するように、円筒状に形成されている。フランジ保持部材は、円環状に形成されており、アダプタ本体に開閉自在に装着されて、アダプタ本体との間でシリンダフランジを保持する。保持ロック機構は、フランジ保持部材を閉止状態にロックする。アダプタフランジは、アダプタ本体の外周面に形成されて薬液注入装置に保持される。
【００２０】
本発明のシリンダアダプタは、例えば、薬液注入装置の上面の凹部にその上方から装着される構造であったとしても、薬液シリンジのシリンダフランジの全部を保持することができる。その結果、シリンダフランジの破壊を良好に防止することができる。
【００２１】
なお、本発明では、各構成要素は、かならずしも個々に独立した存在である必要はない。複数の構成要素が１つの部材として形成されていてもよいし、１つの構成要素が複数の部材からなっていてもよい。さらには、ある構成要素が他の構成要素の一部であってもよいし、ある構成要素の一部と他の構成要素の一部とが重複していてもよい。
【００２２】
さらに、本発明では前後左右上下の方向を規定しているが、これは本発明の構成要素の相対関係を簡単に説明するために便宜的に規定したものであり、本発明を実施する場合の製造時や使用時の方向を限定するものではない。
【図面の簡単な説明】
【００２３】
【図１Ａ】本発明の一実施形態によるシリンダアダプタの、フランジ保持部材を閉じた状態での外観を示す斜視図である。
【図１Ｂ】本発明の一実施形態によるシリンダアダプタの、フランジ保持部材を開いた状態での外観を示す斜視図である。
【図２Ａ】薬液シリンジの、後端側から見た外観を示す斜視図である。
【図２Ｂ】薬液シリンジおよびピストンアダプタの、前端側から見た外観を示す斜視図である。
【図３Ａ】シリンダアダプタに薬液シリンジを挿入し、フランジ保持部材を閉じる前の状態を示す斜視図である。
【図３Ｂ】シリンダアダプタに薬液シリンジを挿入し、フランジ保持部材を閉じた後の状態を示す斜視図である。
【図４】薬液注入装置にシリンダアダプタで薬液シリンジを装着する状態を示す斜視図である。
【図５】薬液注入装置の外観を示す斜視図である。
【図６】薬液注入システムの外観を示す斜視図である。
【符号の説明】
【００２４】
１００    薬液注入装置
１１６    ピストン駆動機構
１２３    シリンダ保持機構
２００    薬液シリンジ
２１０    シリンダ部材
２１１    シリンダ本体
２１３    シリンダフランジ
２２０    ピストン部材
４００    シリンダアダプタ
４１０    アダプタ本体
４２０    フランジ保持部材
４３０    保持ロック機構
５００    ピストンアダプタ
【発明を実施するための最良の形態】
【００２５】
［実施形態の構成］
図４〜図６を参照すると、薬液注入装置１００、薬液シリンジ２００、透視撮像装置であるＭＲＩ装置３００、シリンダアダプタ４００、およびピストンアダプタ５００、を有している、本発明の一実施形態による薬液注入システム１０００が示される。薬液注入システム１０００は、薬液注入装置１００を動作させて、ＭＲＩ装置３００で透視画像が撮像される被験者(図示せず)に、薬液シリンジ２００から造影剤や生理食塩水などの薬液を注入する。【００２６】
ＭＲＩ装置３００は、図６に示すように、撮像実行機構である撮像ユニット３０１と制御ユニット３０２とを有している。撮像ユニット３０１と制御ユニット３０２とは、通信ネットワークで有線接続されている(図示せず)。撮像ユニット３０１は被験者から透視画像を撮像する。制御ユニット３０２は撮像ユニット３０１を動作制御する。【００２７】
薬液シリンジ２００は、図２Ａに示すように、シリンダ部材２１０と、ピストン部材２２０と、を有している。ピストン部材２２０は、シリンダ部材２１０にスライド自在に挿入されている。シリンダ部材２１０は、円筒形で中空の本体部２１１を有している。本体部２１１の閉塞した前端面には導管部２１２が形成されている。シリンダ部材２１０の本体部２１１の後端面は開放されている。また、本体部２１１の後端外周にはシリンダフランジ２１３が形成されている。【００２８】
薬液シリンジ２００は、ロッドレスシリンジであり、ピストン部材２２０はピストンロッドを有していない。このため、ピストンヘッド２２１の後端に直接、ピストンヘッド２２１よりも小径のピストンフランジ２２２が形成されている。図２Ｂに示すように、ピストン部材２２０には、ピストンアダプタ５００が着脱自在に装着される。【００２９】
ピストンアダプタ５００は、ノーマルシリンジ(図示せず)のピストンロッドと同様な細長形状のアダプタロッド５１０を有している。アダプタロッド５１０の後端外周には、ダミーフランジ５１１が形成されている。アダプタロッド５１０の前端部には、ピストンフランジ２２２を着脱自在に保持するピストン保持機構５１２が内蔵されている。さらに、アダプタロッド５１０の後端外周には、ピストン保持機構５１２の開閉を手動で操作するための開閉操作部材５１３が回転自在に装着されている。【００３０】
薬液シリンジ２００にピストンアダプタ５００が装着されると、ノーマルシリンジと同等な形状となり、またその機能もノーマルシリンジと同等である。なお、本出願人は、上述のピストンアダプタ５００を出願しており（特開２００４−３５８０４７号公報参照）、さらに、同様な機能のピストンアダプタ(図示せず)も出願している(特開２００４−３５８０４７号公報参照)。【００３１】
図５を参照すると、薬液注入装置１００は、それぞれが別体に構成されている注入制御ユニット１０１と注入装置本体である注入ヘッド１１０とを有している。注入制御ユニット１０１と注入ヘッド１１０とは有線接続されている。注入ヘッド１１０は、それに装着される薬液シリンジ２００を駆動して被験者に薬液を注入する。注入制御ユニット１０１は、注入ヘッド１１０の動作を制御する。【００３２】
注入制御ユニット１０１は、マイクロコンピュータ(図示せず)を内蔵しており、ＭＲＩ装置３００の制御ユニット３０２とも通信ネットワーク(図示せず)で有線接続されている。注入制御ユニット１０１は、操作パネル１０３、ディスプレイパネルであるタッチパネル１０４、およびスピーカユニット１０５等を有している。これらは操作制御ユニット１０１の本体ハウジング１０６の前面に配置されている。さらに、注入制御ユニット１０１には、コントローラユニット１０７が接続ケーブル１０８によって有線接続されている。【００３３】
注入ヘッド１１０は、可動アーム１１２を介して、キャスタスタンド１１１の上端に取り付けられている。図４に示すように、注入ヘッド１１０のヘッド本体１１３の上面には、薬液シリンジ２００が着脱自在に装着される半円形の溝状の凹部１１４が形成されている。凹部１１４の後部には、ピストンアダプタ５００のダミーフランジ５１１を保持してスライド移動させるピストン駆動機構１１６が配置されている。凹部１１４の前部には、薬液シリンジ２００のシリンダフランジ２１３を着脱自在に保持するシリンダ保持機構１２３が形成されている。【００３４】
ピストン駆動機構１１６は、例えば、作動時にも磁界を発生しない超音波モータを駆動源として有しており、駆動源によって駆動されるネジ機構などにより、ピストンアダプタ５００とともにピストン部材２２０をスライド移動させる。なお、本形態の薬液注入装置１００は、例えば、エンジニアリングプラスチック、燐青銅合金(Cu+Sn+P)、チタン合金(Ti-6Al-4V)、マグネシウム合金(Mg+Al+Zn)、等の非磁性体で各部が形成されており、非磁性体で形成できない部分は防磁されている。【００３５】
シリンダ保持機構１２３は、左右一対の可動保持部材１２２と、１つの不動保持部材１２１とを有している。不動保持部材１２１は、凹部１１４の周方向に沿って半円弧状に延びる部材である。可動保持部材１２２は、不動保持部材１２１の左右端部において不動保持部材１２１と連続する円弧を形成するように配置された、１／４円弧状に延びる部材である。【００３６】
一対の可動保持部材１２２は、支持機構(図示せず)によって、凹部１１４の周方向に沿って互いに独立して移動可能に支持されている。このことによって、可動保持部材１２２は、不動保持部材１２２の上方を開放してシリンダフランジ２１３を受け入れることのできる開放位置と、不動保持部材１２２の左右両端から延長してシリンダフランジ２１３をその両側で保持する閉止位置と、に変位自在とされている。【００３７】
不動保持部材１２１および可動保持部材１２２の内面には、薬液シリンジ２００のシリンダフランジ２１３を受け入れて保持する凹溝が形成されている。ただし、本形態の薬液注入システム１０００では、直径の異なる各種サイズの薬液シリンジ２００が用意されている。そこで、注入ヘッド１１０の凹部１１４およびシリンダ保持機構１２０には最大直径の薬液シリンジ２００のみが直接装着され、最大以外の直径の薬液シリンジ２００は各々に専用のシリンダアダプタ４００を介して装着される。【００３８】
このため、薬液注入装置１００のシリンダ保持機構１２３は、最大直径の薬液シリンジ２００のシリンダフランジ２１３を保持する構造に形成されている。さらに、シリンダアダプタ４００は、最大直径の薬液シリンジ２００と同様に注入ヘッド１１０の凹部１１４およびシリンダ保持機構１２０で保持される形状に形成されている。【００３９】
より詳細には、シリンダアダプタ４００は、最大以外の直径の薬液シリンジ２００ごとに用意されており、図１Ａおよび図３Ａに示すように、円筒状のアダプタ本体４１０を有している。アダプタ本体４１０は、その後方から挿入される薬液シリンジ２００のシリンダ本体２１１の後端部分を支持する円筒状に形成されている。アダプタ本体４１０の下半部は、シリンダ部材２１０の軸線方向半分ほどの位置まで前方に延長されている。【００４０】
アダプタ本体４１０の後端外周には、シリンダアダプタ４００がヘッド本体１１３の凹部１１４（図４参照）に装着されたときに、凹部１１４のシリンダ保持機構１２３（図４参照）によって保持されるアダプタフランジ４１１が形成されている。アダプタフランジ４１１は、少なくとも薬液注入装置１００のヘッド本体１１３に保持される部分が最大直径の薬液シリンジ２００のシリンダフランジ２１３（図２Ｂ参照）と同等な形状で形成されている。アダプタフランジの後端面には、シリンダフランジ２１３が後方から接する円環状の段差４１２が形成されている。アダプタ本体４１０の後端下部にはヒンジ機構４１３が設けられている。ヒンジ機構４１３により、円環状のフランジ保持部材４２０がアダプタ本体４１０の後端に開閉自在に装着されている。【００４１】
フランジ保持部材４２０の上端である、ヒンジ機構４１３によってアダプタ本体４１０に支持された部分と対向する部分には、保持ロック機構４３０が形成されている。保持ロック機構４３０は、係合爪４３１とトーションスプリング(図示せず)とを有している。係合爪４３１は、フランジ保持部材４２０の上端に揺動自在に軸支されている。保持ロック機構４３０の係合爪３２１をアダプタフランジ４１１に係合することにより、フランジ保持部材４２０はアダプタ本体４１０に対して閉止状態にロックされる。【００４２】
係合爪４３１は、フランジ保持部材４２０がアダプタ本体４１０の後面に閉止された状態で、アダプタフランジ４１１に係脱自在に係合し、トーションスプリングは、係合爪４３１をアダプタフランジ４１１に係合する方向に付勢している。なお、本形態のシリンダアダプタ４００では、保持ロック機構４３０はフランジ保持部材４２０に取り付けられているが、アダプタ本体４１０に取り付けられて、係合爪４３１がフランジ保持部材４２０に係脱自在に係合する構成とすることもできる(図示せず)。【００４３】
シリンダアダプタ４００は、アダプタ本体４１０や可動保持部材４１１をエンジニアリングプラスチックなどで形成し、トーションスプリングなどを、燐青銅合金(Cu+Sn+P)、チタン合金(Ti-6Al-4V)、マグネシウム合金(Mg+Al+Zn)、などで形成し、全体を非磁性体で構成するのが好ましい。同様に、薬液シリンジ２００およびピストンアダプタ５００も、各部が非磁性体で構成することが好ましい。【００４４】
［実施形態の作用］
上述のような構成において、本実施形態の薬液注入装置１００を使用するとき、作業者は被験者に注入する薬液に対応して適切な薬液シリンジ２００を選択し、その薬液シリンジ２００の導管部２１２を被験者に延長チューブで連結する(図示せず)。【００４５】
例えば、その薬液シリンジ２００が最大直径の場合、図２Ｂに示すように、そのピストンフランジ２２２にピストンアダプタ５００を装着する。つぎに、シリンダ部材２１０を注入ヘッド１１０の凹部１１２に直接装着し、シリンダフランジ２１３をシリンダ保持機構１２３に保持させ、ピストンアダプタ５００をピストン駆動機構１１６に把持させる。【００４６】
最大以外の直径の薬液シリンジ２００を利用する場合は、図３Ｂに示すように、薬液シリンジ２００にシリンダアダプタ４００を装着する。より詳細には、まず、その薬液シリンジ２００に対応したシリンダアダプタ４００を用意し、図１Ｂに示すように、保持ロック機構４３０のロックを手動で解除してフランジ保持部材４２０をアダプタ本体４１０から開放する。【００４７】
このような状態で、図３Ａに示すように、薬液シリンジ２００をシリンダアダプタ４００のフランジ保持部材４２０が設けられた側から挿入し、シリンダ部材２１０をアダプタ本体４１０に保持させる。これにより、シリンダフランジ２１３がアダプタ本体４１０の段差４１２内に位置し、この状態でフランジ保持部材４２０をアダプタ本体４１０に閉止する。【００４８】
すると、保持ロック機構４３０の係合爪４３１がトーションスプリングの付勢力によりアダプタ本体４１０に係合する。これによって、アダプタ本体４１０に閉止されたフランジ保持部材４２０がロックされる。このように、アダプタ本体４１０の段差４１２内に位置したシリンダフランジ２１３は、その全周がフランジ保持部材４２０とアダプタ本体４１０との間で固定的に保持されるので、シリンダアダプタ４００は薬液シリンジ２００に一体に保持されることになる。【００４９】
フランジ保持部材４２０は円環状であるので、この状態ではフランジ保持部材４２０の開口から薬液シリンジ２００のピストンフランジ２２２が露出している。露出しているピストンフランジ２２２に、ピストンアダプタ５００を装着する。このような状態で薬液シリンジ２００を注入ヘッド１１０に装着すると、シリンダ部材２１０はアダプタ本体４１０を介して凹部１１２に装着され、アダプタフランジ４１１がシリンダ保持機構１２０に保持される。【００５０】
本形態の薬液注入システム１０００では、シリンダアダプタ４００が薬液シリンジ２００のシリンダフランジ２１３を全周にわたって保持するので、シリンダフランジ２１３の破壊を良好に防止することができる。また、アダプタフランジ４１１は最大直径の薬液シリンジ２００のシリンダフランジ２１３と同一サイズに形成されているので、充分な強度を確保することができる。【００５１】
しかも、本形態の薬液シリンジ２００はピストンロッドを有しないロッドレスシリンジであるので、図３Ａおよび図３Ｂに示すように、シリンダ部材２１０の後端にピストン部材２２０が位置する状態でも、シリンダアダプタ４００のフランジ保持部材４２０を開閉することができ、薬液シリンジ２００にシリンダアダプタ４００を容易に着脱することができる。【００５２】
さらに、本形態の薬液注入システム１０００では、薬液注入装置１００、薬液シリンジ２００、シリンダアダプタ４００、およびピストンアダプタ５００等の全ての構成部品が非磁性体で形成されているので、ＭＲＩ装置３００の近傍で薬液注入装置１００やシリンダアダプタ４００を問題なく利用することができる。【００５３】
［実施形態の変形例］
本発明は上述した実施形態に限定されるものではなく、その要旨を逸脱しない範囲で様々な変更を加えることができる。例えば、本形態では薬液注入装置１００やシリンダアダプタ４００などをＭＲＩ装置３００の近傍で使用することを想定したが、これをＣＴスキャナやアンギオ装置の近傍で使用することもできる。なお、このようにＭＲ系以外の透視撮像装置の近傍で使用する場合は、薬液注入装置１００やシリンダアダプタ４００などを非磁性体で形成する必要はない。【００５４】
また、上記形態では、最大直径の薬液シリンジ２００が薬液注入装置１００に直接装着され、最大以外の直径の薬液シリンジ２００はシリンダアダプタ４００を介して装着されることを例示した。しかし、全ての直径の薬液シリンジ２００がシリンダアダプタ４００を介して薬液注入装置１００に装着される構成であってもよい。あるいは、薬液注入装置１００は、１種類の直径の薬液シリンジ２００のみを装着するものであり、その１種類の直径の薬液シリンジ２００が、シリンダアダプタ４００を介して薬液注入装置１００に装着される構成であってもよい。【００５５】
さらに、上記形態では、全ての直径の薬液シリンジ２００がロッドレスシリンジであることを想定したが、例えば、一部または全部の直径の薬液シリンジがノーマルシリンジであってもよい。ただし、薬液シリンジがプレフィルドタイプのノーマルシリンジである場合、一般的にそのタイプの薬液シリンジ(図示せず)は、初期状態ではシリンダ部材から後方にピストン部材が突出している。そのため、シリンダアダプタ４００のアダプタ本体４１０にシリンダ部材を挿入してもフランジ保持部材４２０を閉止することが困難である。【００５６】
換言すると、本形態のシリンダアダプタ４００は、薬液シリンジがノーマルシリンジの場合は、プレフィルドタイプでは利用が困難であるがリフィルタイプならば利用することができ、ロッドレスシリンジの場合は、プレフィルドタイプおよびリフィルタイプの双方を利用することができる。【００５７】
ただし、プレフィルドタイプのノーマルシリンジでも、ピストン部材のストロークが極端に小さい場合は、シリンダアダプタ４００を利用することは可能である。このようにピストン部材のストロークが極端に小さい薬液シリンジは、いわゆる“パルスインフューザ”と呼ばれる薬液注入装置で利用されている(図示せず)。【００５８】
また、上記形態では、シリンダアダプタ４００のアダプタ本体４１０は、円筒状に形成されていて下半部のみ前方に延長されていることを例示したが、アダプタ本体４１０の延長した下半部はシリンダ部材２１０の前端部までさらに延長されていてもよい。あるいは、アダプタ本体４１０は、延長した下半部が設けられておらず、アダプタフランジ４１１およびヒンジ機構４１３を除いて単純な円筒状に形成されていてもよい。この場合、アダプタ本体４１０の軸線方向の長さは、アダプタ本体４１０にシリンダ部材２１０を保持した状態で少なくともシリンダ部材２１０の導管部２１２がアダプタ本体４１０から突出するような長さであれば任意である。【００５９】
さらに、上記形態では、１つの凹部１１２を有する注入ヘッド１１０を示したが、注入ヘッド１１０は、複数の薬液シリンジ２００を同時に装着できるように複数の凹部１１２を有していてもよい。この場合も、各凹部１１２に対して、上述したように、薬液シリンジ２００の直径等に応じて、シリンダアダプタ４００を用いて薬液シリンジ２００が装着される。
【図１Ａ】
2006132146.tif 000002
【図１Ｂ】
2006132146.tif 000003
【図２Ａ】
2006132146.tif 000004
【図２Ｂ】
2006132146.tif 000005
【図３Ａ】
2006132146.tif 000006
【図３Ｂ】
2006132146.tif 000007
【図４】
2006132146.tif 000008
【図５】
2006132146.tif 000009
【図６】
2006132146.tif 000010
【国際調査報告】
2006132146.tif 000011
2006132146.tif 000012
2006132146.tif 000013
2006132146.tif 000014